(57)【特許請求の範囲】
【請求項１】
一側の吸込口に並設されている複数のダンパのうち略半数のダンパと、他側の吸込口に並設されている複数のダンパのうち略半数のダンパとを連結して１つのダンパ開閉駆動装置に接続し、
前記一側の吸込口に並設されている残りの略半数のダンパと、前記他側の吸込口に並設されている残りの略半数のダンパとを連結して他のダンパ開閉駆動装置に接続したことを特徴とする大形両吸込遠心ファン。
【請求項２】
前記１つのダンパ開閉駆動装置に接続されるダンパを、両側の吸込口にそれぞれ並設されている複数のダンパのうち１つおきのダンパとし、前記他のダンパ開閉駆動装置に接続されるダンパを、両側の吸込口にそれぞれ並設されている複数のダンパのうち残りのダンパとした請求項１記載の大形両吸込遠心ファン。
【発明の詳細な説明】
【０００１】
【発明の属する技術分野】
本発明は、両側に吸込口を有し、しかも大形の大形両吸込遠心ファンに関するものである。
【０００２】
【従来の技術】
大形両吸込遠心ファンが使用されている装置の一例として、ボイラの燃焼装置のガスの流れを図３の系統図によって説明すると、ボイラ１の燃焼用空気は、押込送風機２から送られた空気がスチームエアヒータ３で暖められた後、さらに空気予熱器４でボイラ１からの排ガスと熱交換してさらに加熱され、燃焼用空気供給管５を通ってボイラ１のバーナ６部分に送られるようになっている。
【０００３】
ボイラ１のバーナ６部分には燃料油、微粉炭等の燃料７が供給され、燃焼用空気と混合してボイラ１の火炉内で燃焼し、伝熱管（図示せず）で蒸気を発生させるようになっている。
【０００４】
ボイラ１の火炉内での燃焼で生じた排ガスは、排ガス排出管８から空気予熱器４に導入されて前記燃焼用空気と熱交換した後、電気集塵機９で粉塵が除去され、煙突１０から大気へ放出されるようになっている。
【０００５】
ボイラ１の火炉内で燃料７が完全燃焼すると煤は出ないが、排ガス中に含まれる窒素酸化物が多くなるので、排ガス中の窒素酸化物を少なくするため、排ガスの一部を燃焼用空気の方に戻して再循環させ、ボイラ１の火炉内での燃焼温度を下げて燃焼を多少緩やかにし、窒素酸化物の発生を抑えることが行われている。
【０００６】
このため、排ガス排出管８と燃焼用空気供給管５との間に、排ガス混合通風機として大形両吸込遠心ファン１１を設けている。
【０００７】
図４は、大形両吸込遠心ファン１１の一例を示す正面図、図５は図４のＶ−Ｖ断面図であって、大形両吸込遠心ファン１１の渦巻室１２の両側には吸込口１３，１４があって、これらの吸込口１３，１４は、図示しないダクトによって、図３の排ガス排出管８に接続されている。
【０００８】
モータ１５で回転駆動される回転軸１６が渦巻室１２を貫通していて、回転軸１６には図５に示すようにインペラー１７が取り付けられている。
【０００９】
モータ１５によって回転軸１６と共にインペラー１７を回転させると、インペラー１７は両側の吸込口１３，１４から回転軸１６の軸心方向に排ガスを吸込んで昇圧し、図４の吐出口１８から図示しないダクトを経て、図３の燃焼用空気供給管５に排ガスを送るようになっている。
【００１０】
大形両吸込遠心ファン１１の吸い込む排ガスの量を調節するため、一側の吸込口１３には複数のダンパ１９が並設されており、他側の吸込口１４にも複数のダンパ２０が並設されている。
【００１１】
図６は、従来の大形両吸込遠心ファン１１の吸込口１３，１４部分の一例を示す平面図、図７は図６の正面図であって、一側の吸込口１３に並設されているダンパ１９の中心に固定されている全ての回動軸２１の一端にそれぞれ回動レバー２２の基端を固着し、回動レバー２２の先端は１本の連結バー２３に枢着し、ダンパ開閉駆動装置２４によって回動される駆動レバー２５の先端に連結バー２３を連結し、連結バー２３を長手方向に変位することによって、一側の吸込口１３に並設されている全てのダンパ１９の開度が一斉に調整できるようにしている。
【００１２】
他側の吸込口１４においても同様に、並設されているダンパ２０（図６参照）の中心に固定されている全ての回動軸２６の一端にそれぞれ回動レバー２７の基端を固着し、回動レバー２７の先端は１本の連結バー２８に枢着し、ダンパ開閉駆動装置２９によって回動される駆動レバー３０の先端に連結バー２８を連結し、連結バー２８を長手方向に変位することによって、他側の吸込口１４に並設されている全てのダンパ２０の開度が一斉に調整できるようにしている。
【００１３】
このように一側の吸込口１３と他側の吸込口１４とによって、ダンパ１９，２０の開度調節を行う駆動源を２つのダンパ開閉駆動装置２４，２９に分けるのは、両吸込遠心ファンが大形であって、全てのダンパ１９，２０の開度調節を１つのダンパ開閉駆動装置で操作しようとすると、操作トルクが大きくなって無理が生ずるからである。
【００１４】
【発明が解決しようとする課題】
従来の大形両吸込遠心ファン１１においては、両側にある２つの吸込口１３，１４ごとにダンパ１９，２０の開度を一斉に調整するようにしているため、ダンパ開閉駆動装置２４，２９のいずれか片方が故障すると、場合によっては両側にある２つの吸込口１３，１４の片側だけからしかガスを吸引することができなくなって、図５に示すインペラー１７の両側のガス圧にアンバランスが生じ、ガスの左右の圧力差によってインペラー１７が回転軸１６の軸方向に押されてズレが起こり、好ましくないという欠点を有していた。
【００１５】
本発明はこのような欠点を除去し、２系統あるダンパ開閉用の駆動装置のうちの片方が故障しても、大形両吸込遠心ファンのインペラーが軸方向に押されないようにした大形両吸込遠心ファンを提供することを目的とするものである。
【００１６】
【課題を解決するための手段】
本発明は、一側の吸込口に並設されている複数のダンパのうち略半数のダンパと、他側の吸込口に並設されている複数のダンパのうち略半数のダンパとを連結して１つのダンパ開閉駆動装置に接続し、
前記一側の吸込口に並設されている残りの略半数のダンパと、前記他側の吸込口に並設されている残りの略半数のダンパとを連結して他のダンパ開閉駆動装置に接続したことを特徴とする大形両吸込遠心ファンにかかるものである。
【００１７】
又、前記大形両吸込遠心ファンにおいては、前記１つのダンパ開閉駆動装置に接続されるダンパを、両側の吸込口にそれぞれ並設されている複数のダンパのうち１つおきのダンパとし、
前記他のダンパ開閉駆動装置に接続されるダンパを、両側の吸込口にそれぞれ並設されている複数のダンパのうち残りのダンパとすることが望ましい。
【００１８】
従って、一側の吸込口に並設されている複数のダンパのうち略半数のダンパと、他側の吸込口に並設されている複数のダンパのうち略半数のダンパとが、１つのダンパ開閉駆動装置によって開度調整されると共に、前記一側の吸込口に並設されている残りの略半数のダンパと、前記他側の吸込口に並設されている残りの略半数のダンパとが、他のダンパ開閉駆動装置によって開度調整され、２系統あるダンパ開閉用の駆動装置のうちの片方が故障しても、両側の吸込口のダンパ開度は略同じになり、インペラーの両側のガス圧は常にバランスして、インペラーが回転軸の軸方向に押されることは皆無となる。
【００１９】
又、１つのダンパ開閉駆動装置に接続されるダンパを、両側の吸込口にそれぞれ並設されている複数のダンパのうち１つおきのダンパとし、他のダンパ開閉駆動装置に接続されるダンパを、両側の吸込口にそれぞれ並設されている複数のダンパのうち残りのダンパとした場合には、１つのダンパ開閉駆動装置によって両側の吸込口にそれぞれ並設されている複数のダンパのうち１つおきのダンパが開度調整されると共に、他のダンパ開閉駆動装置によって両側の吸込口にそれぞれ並設されている複数のダンパのうち残りのダンパが開度調整される。
【００２０】
【発明の実施の形態】
以下、本発明の実施の形態を図を参照しつつ説明する。
【００２１】
図１は本発明を実施するための形態の一例を示す平面図、図２は図１の正面図であって、大形両吸込遠心ファンの渦巻室１２の一側の吸込口１３には、複数のダンパ３１ａ，３１ｂ，３１ｃ，３１ｄ，３１ｅ，３１ｆ，３１ｇ，３１ｈ，３１ｉ，３１ｊ，３１ｋ，３１ｍが並べて設けられており、他側の吸込口１４にも同様に、複数のダンパ３２ａ，３２ｂ，３２ｃ，３２ｄ，３２ｅ，３２ｆ，３２ｇ，３２ｈ，３２ｉ，３２ｊ，３２ｋ，３２ｍが並べて設けられている。
【００２２】
一側の吸込口１３に並設されている複数のダンパ３１ａ，３１ｂ，３１ｃ，３１ｄ，３１ｅ，３１ｆ，３１ｇ．３１ｈ，３１ｉ，３１ｊ，３１ｋ，３１ｍにおいて、１つおきのダンパ３１ａ，３１ｃ，３１ｅ，３１ｇ，３１ｉ，３１ｋの中心に固定されている回動軸３３の一端にそれぞれ回動レバー３４の基端を固着し、各回動レバー３４の先端は１本の連結バー３５に枢着し、連結バー３５を長手方向に変位することによって、一方のグループとなる１つおきのダンパ３１ａ，３１ｃ，３１ｅ，３１ｇ，３１ｉ，３１ｋの開度が一斉に調整できるようにしている。
【００２３】
さらに、前記１つおきのダンパ３１ａ，３１ｃ，３１ｅ，３１ｇ，３１ｉ，３１ｋの間にある残りのダンパ３１ｂ，３１ｄ，３１ｆ，３１ｈ，３１ｊ，３１ｍの中心に固定されている回動軸３６の一端にもそれぞれ回動レバー３７の基端を固着し、各回動レバー３７の先端は、前記とは異なる他の１本の連結バー３８に枢着し、連結バー３８を長手方向に変位することによって、他方のグループとなる残りの１つおきのダンパ３１ｂ，３１ｄ，３１ｆ，３１ｈ，３１ｊ，３１ｍの開度が一斉に調整できるようにしている。
【００２４】
上記と同様に、他側の吸込口１４に並設されている複数のダンパ３２ａ，３２ｂ，３２ｃ，３２ｄ，３２ｅ，３２ｆ，３２ｇ，３２ｈ，３２ｉ，３２ｊ，３２ｋ，３２ｍにおいても、１つおきのダンパ３２ａ，３２ｃ，３２ｅ，３２ｇ，３２ｉ，３２ｋの中心に固定されている回動軸３９の一端にそれぞれ回動レバー４０の基端を固着し、各回動レバー４０の先端は１本の連結バー４１に枢着し、連結バー４１を長手方向に変位することによって、一方のグループとなるダンパ３２ａ，３２ｃ，３２ｅ，３２ｇ，３２ｉ，３２ｋの開度が一斉に調整できるようにしている。
【００２５】
さらに、前記１つおきのダンパ３２ａ，３２ｃ，３２ｅ，３２ｇ，３２ｉ，３２ｋの間にある残りの１つおきのダンパ３２ｂ，３２ｄ，３２ｆ，３２ｈ，３２ｊ，３２ｍの中心に固定されている回動軸４２の一端にもそれぞれ回動レバー４３の基端を固着し、各回動レバー４３の先端は、前記とは異なる他の１本の連結バー４４に枢着し、連結バー４４を長手方向に変位することによって、他方のグループとなる残りの１つおきのダンパ３２ｂ，３２ｄ，３２ｆ，３２ｈ，３２ｊ，３２ｍの開度が一斉に調整できるようにしている。
【００２６】
吸込口１３，１４の下部には１個ずつダンパ開閉駆動装置４５，４６が取り付けられている。
【００２７】
また吸込口１３，１４の側方に亘って、２本の回動軸４７，４８が、軸受４９で回動自在に支持されている。
【００２８】
一方のダンパ開閉駆動装置４５によって上下方向に回動される駆動レバー５０の先端と、一方の回動軸４７に基端が固着されているリンク５１の先端とは、ロッド５２で連結されていて、一方のダンパ開閉駆動装置４５は一方の回動軸４７を回動させることができるようになっている。
【００２９】
他方のダンパ開閉駆動装置４６によって上下方向に回動される駆動レバー５３の先端と、他方の回動軸４８に基端が固着されているリンク５４の先端とは、ロッド５５で連結されていて、他方のダンパ開閉駆動装置４６は他方の回動軸４８を回動させることができるようになっている。
【００３０】
一方の回動軸４７には、リンク５６，５７の基端が固着されていて、リンク５６の先端は、連結ロッド５８で連結バー３５に連結されており、リンク５７の先端は、連結ロッド５９で連結バー４１に連結されている。
【００３１】
他方の回動軸４８には、リンク６０，６１の基端が固着されていて、リンク６０の先端は、連結ロッド６２で連結バー３８に連結されており、リンク６１の先端は、連結ロッド６３で連結バー４４に連結されている。
【００３２】
次に、図１、図２に示した装置の作用を説明する。
【００３３】
一方のダンパ開閉駆動装置４５によって駆動レバー５０を上下方向に回動させると、ロッド５２、リンク５１を介して一方の回動軸４７が回動される。
【００３４】
回動軸４７が回動すると、リンク５６、連結ロッド５８を介して、連結バー３５が長手方向に変位すると同時に、リンク５７、連結ロッド５９を介して、連結バー４１も長手方向に変位する。
【００３５】
このため、一側の吸込口１３の一方のグループの１つおきのダンパ３１ａ，３１ｃ，３１ｅ，３１ｇ，３１ｉ，３１ｋの開度が一斉に調整されると同時に、他側の吸込口１４の一方のグループの１つおきのダンパ３２ａ，３２ｃ，３２ｅ，３２ｇ，３２ｉ，３２ｋの開度も一斉に調整されるようになる。
【００３６】
他方のダンパ開閉駆動装置４６によって駆動レバー５３を上下方向に回動させると、ロッド５５、リンク５４を介して他方の回動軸４８が回動される。
【００３７】
回動軸４８が回動すると、リンク６０、連結ロッド６２を介して、連結バー３８が長手方向に変位すると同時に、リンク６１、連結ロッド６３を介して、連結バー４４も長手方向に変位する。
【００３８】
このため、一側の吸込口１３の他方のグループの１つおきのダンパ３１ｂ，３１ｄ，３１ｆ，３１ｈ，３１ｊ，３１ｍの開度が一斉に調整されると同時に、他側の吸込口１４の他方のグループの１つおきのダンパ３２ｂ，３２ｄ，３２ｆ，３２ｈ，３２ｊ，３２ｍの開度も一斉に調整されるようになる。
【００３９】
このように２系統あるダンパ開閉用の駆動装置は、それぞれ吸込口１３，１４の双方の半分ずつのダンパの開度を調整するようになっている。
【００４０】
この装置において、一方のダンパ開閉駆動装置４５が故障した場合には、一側の吸込口１３の一方のグループの１つおきのダンパ３１ａ，３１ｃ，３１ｅ，３１ｇ，３１ｉ，３１ｋと、他側の吸込口１４の一方のグループの１つおきのダンパ３２ａ，３２ｃ，３２ｅ，３２ｇ，３２ｉ，３２ｋとが開度調整不能になるが、一側の吸込口１３の他方のグループの１つおきのダンパ３１ｂ，３１ｄ，３１ｆ，３１ｈ，３１ｊ，３１ｍと、他側の吸込口１４の他方のグループの１つおきのダンパ３２ｂ，３２ｄ，３２ｆ，３２ｈ，３２ｊ，３２ｍとは、他方のダンパ開閉駆動装置４６によって開度調整ができる状態に保たれている。
【００４１】
これとは反対に、他方のダンパ開閉駆動装置４６が故障した場合には、一側の吸込口１３の他方のグループの１つおきのダンパ３１ｂ，３１ｄ，３１ｆ，３１ｈ，３１ｊ，３１ｍと、他側の吸込口１４の他方のグループの１つおきのダンパ３２ｂ，３２ｄ，３２ｆ，３２ｈ，３２ｊ，３２ｍとが開度調整不能になるが、一側の吸込口１３の一方のグループの１つおきのダンパ３１ａ，３１ｃ，３１ｅ，３１ｇ，３１ｉ，３１ｋと、他側の吸込口１４の一方のグループの１つおきのダンパ３２ａ，３２ｃ，３２ｅ，３２ｇ，３２ｉ，３２ｋとは、一方のダンパ開閉駆動装置４５によって開度調整ができる状態に保たれている。
【００４２】
このように、ダンパ開閉駆動装置４５，４６のいずれかが故障しても、大形両吸込遠心ファンの渦巻室１２の両側の吸込口１３，１４はダンパ開度は同じになり、インペラー１７（図５参照）の両側のガス圧は常にバランスして、インペラー１７が回転軸１６の軸方向に押されることは皆無となる。
【００４３】
尚、本発明の大形両吸込遠心ファンは、上述の図示例にのみ限定されるものではなく、図１において、連結バー３５を連結バー３８と同じ側に配設し、且つ連結バー４４を連結バー４１と同じ側に配設するというように、ダンパ３１ａ，３１ｂ，３１ｃ，３１ｄ，３１ｅ，３１ｆ，３１ｇ．３１ｈ，３１ｉ，３１ｊ，３１ｋ，３１ｍ並びにダンパ３２ａ，３２ｂ，３２ｃ，３２ｄ，３２ｅ，３２ｆ，３２ｇ，３２ｈ，３２ｉ，３２ｊ，３２ｋ，３２ｍの駆動系のレイアウトは種々選定し得ること、又、両側の吸込口１３，１４にそれぞれ並設されている複数のダンパ３１ａ，３１ｂ，３１ｃ，３１ｄ，３１ｅ，３１ｆ，３１ｇ．３１ｈ，３１ｉ，３１ｊ，３１ｋ，３１ｍ並びに３２ａ，３２ｂ，３２ｃ，３２ｄ，３２ｅ，３２ｆ，３２ｇ，３２ｈ，３２ｉ，３２ｊ，３２ｋ，３２ｍは、１つおきに連結する代わりに２つおきや３つおきに連結するようにしてもよいこと等、その他、本発明の要旨を逸脱しない範囲内において種々変更を加え得ることは勿論である。
【００４４】
【発明の効果】
以上、説明したように本発明の請求項１、２に記載の大形両吸込遠心ファンによれば、一方のダンパ開閉駆動装置が故障しても、両側の吸込口のダンパ開度は同じになり、インペラーの両側のガス圧は常にバランスして、インペラーが回転軸の軸方向に押されないようにすることができる効果がある。
【図面の簡単な説明】
【図１】本発明の要部の実施形態の一例を示す平面図である。
【図２】図１の正面図である。
【図３】ボイラのガスの流れを示す系統図である。
【図４】大形両吸込遠心ファンの一例を示す正面図である。
【図５】図４のＶ−Ｖ断面図である。
【図６】従来の大形両吸込遠心ファンの吸込口部分の一例を示す平面図である。
【図７】図６の正面図である。
【符号の説明】
１３  吸込口
１４  吸込口
３１ａ，３１ｂ，３１ｃ，３１ｄ，３１ｅ，３１ｆ，３１ｇ．３１ｈ，３１ｉ，３１ｊ，３１ｋ，３１ｍ      ダンパ
３２ａ，３２ｂ，３２ｃ，３２ｄ，３２ｅ，３２ｆ，３２ｇ，３２ｈ，３２ｉ，３２ｊ，３２ｋ，３２ｍ      ダンパ
４５  ダンパ開閉駆動装置
４６  ダンパ開閉駆動装置
５１  リンク
５４  リンク
５６  リンク
５７  リンク
６０  リンク
６１  リンク
【図１】
0003575503.tif 000002
【図２】
0003575503.tif 000003
【図３】
0003575503.tif 000004
【図４】
0003575503.tif 000005
【図５】
0003575503.tif 000006
【図６】
0003575503.tif 000007
【図７】
0003575503.tif 000008